(57)【特許請求の範囲】
【請求項１】
特定の異常状態を検知する異常検知センサと、異常検知時に移報受信機に対し移報信号を出力する移報出力回路と、異常検知時に音声による異常警報を発する音声出力回路とを備えた音声警報付防災検知器であって、
移報受信機との接続の有無を判別する接続判別手段と、
この判別結果に基づいて、音声による異常警報の出力を制御する音声出力制御回路とを備え
上記接続判別手段は、上記移報受信機が信号線を介して接続される移報出力端子間のインピーダンスを検出する回路として構成されており、
上記移報出力端子間のインピーダンスが、所定値よりも低い場合には、上記移報受信機との接続有りと判断して、上記音声出力制御回路による警報出力をオフ制御することを特徴とする防災検知器。
【請求項２】
請求項１に記載した防災検知器において、上記異常検知センサが、１又は２以上の特定のガスについて、その濃度が所定値以上であることを検出するガス漏れ検知センサとして構成されていることを特徴とするガス漏れ検知器。
【請求項３】
請求項２に記載したガス漏れ検知器の移報出力端子を、同一の住戸内に設置された住宅情報盤に信号線を介して接続したことを特徴とするガス漏れ監視システム。
【請求項４】
特定の異常状態を検知する異常検知センサと、異常検知時に移報受信機に対し移報信号を出力する移報出力回路と、異常検知時に音声による異常警報を発する音声出力回路とを備えたヘッド部が、予め固定されたベース部に取り付けられる音声警報付防災検知器において、
上記ヘッド部が、ベース部の種別を判別するベース判別手段と、この判別結果に基づいて、音声による異常警報の出力を制御する音声出力制御回路とを備えて構成されることを特徴とする防災検知器。
【請求項５】
請求項４に記載した防災検知器において、上記ヘッド部の種別が、移報受信機への接続用又は非接続用の種別であり、
上記音声出力制御回路は、ベース部の種別が移報受信機への接続用である場合に、音声による異常警報の出力をオフ制御する手段として構成されることを特徴とする防災検知器。
【請求項６】
請求項５に記載した防災検知器において、上記ベース部は、移報受信機の接続用、非接続用の種別に応じてヘッド部の取付面に突起部が設けられ、
上記ベース判別手段は、ヘッド部がベース部に取り付けられた状態において、上記突起部によってのみ操作される位置に設けられたスイッチング手段として構成されることを特徴とする防災検知器。
【請求項７】
請求項４から６のいずれかに記載した防災検知器において、上記異常検知センサが、１又は２以上の特定のガスについて、その濃度が所定値以上であることを検出するガス漏れ検知センサとして構成されることを特徴とするガス漏れ検知器。
【請求項８】
請求項７に記載したガス漏れ検知器の移報出力端子を、同一の住戸内に設置された住宅情報盤に信号線を介して接続したことを特徴とするガス漏れ監視システム。
【発明の詳細な説明】
【０００１】
【発明の属する技術分野】
本発明は、ガス漏れ検知器等の防災検知器に係り、更に詳しくは、移報受信機へ移報信号を出力するとともに、防災検知器自身が音声による異常警報を発する音声警報機能付防災検知器に関する。
【０００２】
【従来の技術】
従来より異常状態を検知すると音声により異常警報を発する音声警報機能付防災検知器があった。特に、ガス漏れ検知器では、ガス漏れ検出時に「ガスが漏れていませんか」等の音声メッセージによって異常警報を報知するものが広く普及している。
【０００３】
一方、集合住宅においては、各住戸の住宅情報盤を中心とした防災システムが広く普及しており、各住戸ごとに設置された住宅情報盤は、その住戸に設けられた１又は２以上の防災検知器と接続され、異常発生時には各防災検知器からの移報信号を受信することにより防災情報の集中管理を行っている。
この様な住宅情報盤は、移報信号を受けると、管理人室に設置された警報監視盤に対し、或は、電話回線を介して外部の管理会社の端末装置に対し、発報信号を送出するとともに、音声や表示により、異常が発生したことを報知する。
【０００４】
集合住宅ではない戸建住宅等、さらには、居住目的以外の様々な建造物においても、住宅情報盤に相当する移報受信機により集中管理を行う同様のシステムが普及している。
【０００５】
【発明が解決しようとする課題】
上述した様に、この様な住宅情報盤は、一般に、各防災検知器から移報信号を受信すると音声による異常警報を発する。ところが、音声警報機能付の防災検知器は移報信号を出力するとともに、防災検知器自身も音声メッセージによる異常警報を発する。
【０００６】
従って、住宅情報盤と防災検知器の両者から同時にメッセージが発せられるため、両者が近くに設置されている場合には、その内容を聞き取り難い場合が生じ得る。特に、住宅情報盤と各防災検知器とは、同一の住戸内に設置されるため、この様な問題が生じ易い。
この様な問題を解決する手段として、防災検知器にスイッチング手段を含む音声出力制御回路を設け、このスイッチング手段を操作することによって、必要に応じて音声警報機能をオン又はオフさせることも考えられる。この様な方法によれば、音声による異常警報が同時に発せられるのを防ぐことができる。しかしながら、施工時にこの様な設定を行うのは煩雑であり、施工作業の作業性が低下する。
【０００７】
また、設定のし忘れや誤った設定等が行われる可能性もあり、防災検知器の性格上、この様な問題点は無視することができない。即ち、非常時にのみ動作することより、この様な問題点が発見され難い一方で、人命にも関わる非常時の動作には高い信頼性が要求される。
本発明は、この様な事情に鑑みてなされたもので、異常検知時に、防災検知器と移報受信機の双方が、同時に音声警報を発することを防止する防災感知器を提供することを目的とする。
【０００８】
【課題を解決するための手段】
請求項１に記載した本発明による防災検知器は、異常検知センサと、移報出力回路と、音声出力回路と、接続判別手段と、音声出力制御回路とにより構成される。
異常検知センサは、特定の異常状態を検知して、検知信号を出力する手段であり、１又は２以上のセンサを備えて構成される。この様なセンサとしては、ガスセンサ、煙センサ、温度センサ、赤外線センサ等がある。異常検知センサは、これらのセンサにより、ガス濃度、煙濃度又は温度変化等を計測し、その計測結果に基づいて、ガス漏れ、火災、盗難、他者侵入等の異常状態の発生を検知するものである。
【０００９】
移報出力回路は、移報受信機と信号線により接続される移報出力端子に移報信号を出力する回路であり、この移報信号は、異常検知センサからの検知信号に基づいて、異常検知時に出力される。
音声出力回路は、異常検知センサからの検知信号に基づいて、音声による異常警報を出力する回路であり、音声合成回路、増幅回路、スピーカ等により構成することができる。
【００１０】
接続判別手段は、移報出力端子と移報受信機とが信号線により接続されているかどうかを判別する回路であり、その判別方法を問わない。電気的方法の他、機械的方法による判別も含まれる。音声出力制御回路は、音声出力回路の動作を制御する回路であり、例えば、音声出力回路からの警報出力のオン／オフや、音量の大小、メッセージの内容変更等を制御するもので、移報受信機の接続時には、ガス漏れが検知されれば、音声による異常警報が出力される一方、移報受信機の非接続時には、ガス漏れが検知されても、音声による異常警報は出力されないように異常警報の出力を制御するように構成される。
【００１１】
また、この防災検知器では、上記接続判別手段は、移報受信機が信号線を介して接続される移報出力端子間のインピーダンスを検出する回路として構成される。この接続判別手段は、検出されたインピーダンスを所定の閾値と比較し、検出された値がこの閾値よりも低い場合には、音声出力回路が、音声出力回路の警報出力をオフ制御する。
【００１２】
請求項２に記載した本発明による防災検知器は、請求項１に記載した防災検知器であって、上記異常検知センサが、ガス漏れ検知センサとして構成される。このガス漏れ検知センサは、１又は２以上の特定のガスについて、その濃度を計測し、その計測値と所定の閾値とを比較し、上記計測値が閾値以上であれば、検知信号を出力するものである。
【００１３】
請求項３に記載した本発明によるガス漏れ監視システムは、請求項２に記載したガス漏れ検知器と住宅情報盤とを接続して構成される。これらの防災検知器と住宅情報盤は、ともに同一の住戸内に設置され、ガス漏れを検知した場合には住宅情報盤のみが音声警報を発する。請求項４に記載した本発明による防災検知器は、ヘッド部とベース部とにより構成され、予め天井や壁などに固定されたベース部にヘッド部が取り付けられて使用される。
【００１４】
上記ヘッド部は、異常検知センサ、移報出力回路、音声出力回路、音声出力制御回路及びベース判別手段を備えて構成される。このヘッド部は、種別の異なる２以上のベース部に取り付け可能であり、ヘッド部のベース判別手段が、取り付けられたベース部の種別を判別する。なお、その判別方法は問わない。電気的方法、機械的方法による判別が含まれる。
【００１５】
音声出力制御回路は、この判別結果に基づいて、音声による異常警報の出力を制御する。例えば、音声出力回路からの警報出力のオン／オフや、音量の大小、メッセージの内容変更等を制御する。
請求項５に記載した本発明による防災検知器は、異なる２種類のベース部に同一ヘッドを取り付けることができる。その一方は、移報受信機への接続するためのベース部（接続用）であり、他方は移報受信機への接続しないベース部（非接続用）である。
【００１６】
ベース判別手段は、ヘッド部が取り付けられたベース部が接続用であるのか、非接続用であるのかを判別する手段であり、その方法は問わない。
音声出力制御回路は、この判別結果に基づいて、音声による異常警報の出力をオン／オフ制御する。即ち、取り付けられたベース部が接続用である場合に、音声による異常警報の出力をオフ制御する一方、取り付けられたベース部が非接続用である場合に、音声による異常警報の出力をオン制御する手段として構成される。
【００１７】
請求項６に記載した本発明による防災検知器は、請求項５に記載した防災検知器であって、上記ベース部は、移報受信機の接続用、非接続用の種別に応じてヘッド部の取付面に突起部が設けられている。また、ヘッド部には、ベース部に取り付けられた状態において上記突起部によってのみ操作される位置に、ベース判別手段としてのスイッチング手段が設けられている。
【００１８】
従って、ヘッド部をベース部に取り付けると、ベース部の所定の位置に突起部が設けられている場合には上記スイッチング手段が操作される一方、突起部が設けられていない場合には操作されない。なお、この突起部は、接続用のベース部にのみ設ける構成とすることができ、或は、非接続用のベース部にのみ設ける構成とすることもできる。
【００１９】
請求項７に記載した本発明による防災検知器は、請求項４から６のいずれかに記載した防災検知器であって、上記異常検知センサが、ガス漏れ検知センサとして構成される。このガス漏れ検知センサは、１又は２以上の特定のガスについて、その濃度を計測し、その計測値が所定値以上であれば、検知信号を出力するものである。
【００２０】
請求項８に記載した本発明によるガス漏れ監視システムは、請求項７に記載したガス漏れ検知器と住宅情報盤とを接続して構成される。これらの防災検知器と住宅情報盤は、ともに同一の住戸内に設置され、ガス漏れを検知した場合には住宅情報盤のみが音声警報を発する。
【００２１】
【発明の実施の形態】
以下に本発明による実施の形態を図面を用いて説明する。図１及び２は、本発明による第一の実施形態を示したものである。図１は、要部の一構成例を示した図である。また、図２は、図１に示したガス漏れ検知器１ａの外観形状の一例を示した図である。
【００２２】
外部から電源供給端子ＴＭｐに供給される商用交流電源は、変圧トランスＴにより変圧されて、ガスセンサＳｅ及びダイオードブリッジＤＢへ供給される。ダイオードブリッジＤＢは、この交流電源を全波整流して、直流電圧回路ＳＲへ出力する。直流電圧回路ＳＲは、スイッチングレギュレータ等で構成され、電源電圧の平滑化、安定化を行って、直流電源を各回路へ供給する。
【００２３】
ガスセンサＳｅには、常時、交流電源が供給され、検出回路Ｄｅがその出力信号に基づいてガス濃度を検出し、マイコンＣへ入力する。マイコンＣは、このガス濃度と、予め定められた所定値との比較を行い、ガス濃度が所定値を越えたかどうかを判断する。即ち、ガスセンサＳｅ、検出回路Ｄｅ及びマイコンＣが、ガス漏れ検知センサとしての役割を果たす。
【００２４】
マイコンＣからの制御信号は、音声出力回路ＢＧ、表示回路Ｄｉ及び移報出力回路ＳＧの各回路に入力され、ガス漏れの検知時にこれらの各回路が動作する。音声出力回路ＢＧは、ガス漏れの発生時に、ガス漏れを知らせるメッセージの音声信号を生成し、この音声信号を増幅して、スピーカＳｐから出力する回路である。表示回路Ｄｉは、ガス漏れの検知時に、ＬＥＤ等の表示手段を点灯、点滅させてガス漏れを知らせる回路である。移報出力回路ＳＧは、ガス漏れの検知時に、移報出力端子ＴＭｏから移報信号を出力する回路である。
【００２５】
移報出力端子ＴＭｏ間には、通常時は６Ｖが印加されており、移報信号の出力は、この端子ＴＭｏ間に１２Ｖを印加することにより行われる。この移報出力端子ＴＭｏには、信号線を介して住宅情報盤を接続することができ、住宅情報盤は信号線を介して移報信号を受信することにより、ガス漏れの発生を知ることができる。
【００２６】
接続判別回路ＣＤは、住宅情報盤の接続の有無を判別する接続判別回路であり、通常時（６Ｖ印加時）に移報出力端子ＴＭｏに流れる電流を検出することによって、判別を行う。
即ち、住宅情報盤の非接続時には、移報出力端子ＴＭｏ間のインピーダンスは無限大であり、移報出力端子ＴＭｏに電流は流れない。しかし、住宅情報盤の接続時には、移報出力端子ＴＭｏ間のインピーダンスは、住宅情報盤の入力インピーダンス及び配線によるインピーダンスの和となる。この値が約１０ｋΩであれば、通常時に約６００μＡの電流が流れることになる。また、ガス漏れ検知時には１２Ｖが印加されるため、約１．２ｍＡのより大きな電流が流れることになる。
【００２７】
このため、６００μＡ未満の適当な閾値を予め定めておき、移報出力端子ＴＭｏに流れる電流値と、この閾値との比較を行えば、住宅情報盤が接続されているか否かを判別することができる。この判別結果に基づいて、リレー駆動コイルＲｙｃに流れる電流が制御され、リレー接点Ｒｙｓが開閉制御される。
リレー駆動コイルＲｙｃは、その一端が直流電源に接続され、他端が接続判別回路ＣＤに接続されて、接続判別回路ＣＤにより駆動制御される。また、リレー接点Ｒｙｓは、音声出力回路ＢＧへの電源供給ラインに設けられて、音声出力回路ＢＧへの電源供給をオン／オフさせる。
【００２８】
この様にして、接続判別回路ＣＤの判別結果に基づいて、住宅情報盤の非接続時には、リレー接点Ｒｙｓが閉じて、音声出力回路ＢＧへ電源が供給され、ガス漏れが検知されれば、スピーカＳｐから音声による異常警報が出力される。一方、住宅情報盤の接続時には、リレー接点Ｒｙｓが開いて、音声出力回路ＢＧへの電源供給が遮断され、ガス漏れが検知されても、音声による異常警報は出力されない。
【００２９】
これらの各回路はヘッド部Ｈｄに備えられており、天井や壁などに予め固定されているベース部Ｂａに取り付けて使用される。ヘッド部Ｈｄには、電源供給端子ＴＭｐと、移報出力端子ＴＭｏが突出して設けられる一方、ベース部Ｂａには、電源供給端子ＴＭｐと嵌合され、電気的に接続される電源コネクタＣＮｐと、移報出力端子ＴＭｏと嵌合され、電気的に接続される移報コネクタＣＮｏとが設けられている。
【００３０】
ヘッド部Ｈｄをベース部Ｂａに取り付ける際には、ヘッド部Ｈｄの電源供給端子ＴＭｐが、ベース部Ｂａの電源コネクタＣＮｐに差し込まれるとともに、ヘッド部Ｈｄの移報出力端子ＴＭｏが、ベース部Ｂａの移報コネクタＣＮｏに差し込まれ、ヘッド部Ｈｄを回転させることにより、ヘッド部Ｈｄがベース部Ｂａに固定される。
【００３１】
なお、ベース部Ｂａの移報コネクタＣＮｏは、必要に応じて住宅情報盤に接続されるが、ベース部Ｂａの電源コネクタＣＮｐは、常に商用交流電源に接続されて構成される。図３及び４は、本発明による第二の実施形態を示したものである。図３は、要部の一構成例を示した図である。また、図４は、図３に示したガス漏れ検知器の外観形状の一例を示した図である。
【００３２】
図３に示したガス漏れ検知器１ｂは、図１におけるリレー接点Ｒｙｓに代えてベース判別手段としてのスイッチ回路ＳＷを備え、接続判別回路ＣＤ及びリレー駆動コイルＲｙｃを備えることなく構成されている。また、図４に示したヘッド部Ｈｄ’は、図２に示したヘッド部Ｈｄに、ベース部Ｂａ’の突起部Ｐｉを挿入するためのガイド溝Ｒｔを設けたものであり、ベース部Ｂａ’は、図２に示したベース部Ｂａに、種別を識別するための突起部Ｐｉが必要に応じて設けられている。図３及び図４の他の構成部分は、図１又は２に示したものと同様であり、同一構成部分には、同一の符号を付して説明を省略する。
【００３３】
この実施例においては、図４に示した突起部Ｐｉの有無が、住宅情報盤に接続されているか、接続されていないかの種別を表しており、移報コネクタＣＮｏを住宅情報盤に接続しているベース部Ｂａのみが突起部Ｐｉを有している。
この様なベース部Ｂａ’にヘッド部Ｈｄ’を取り付ける際の様子を図５に示す。この図は、図４における矢印の視点からガス漏れ検知器を見た図である。ガイド溝Ｒｔの一端には、スイッチ回路ＳＷの操作部が設けられており、ヘッド部Ｈｄ’の取付時に、突起部Ｐｉがこのガイド溝Ｒｔに差し込まれ、ヘッド部Ｈｄを回転固定させる際に、上記スイッチＳＷが突起部Ｐｉにより操作される。
【００３４】
このスイッチ操作により、スイッチ回路ＳＷの接点間が閉じて、音声出力回路ＢＧに電源が供給される様になる。従って、このヘッド部Ｈｄ’を突起部Ｐｉの設けられていないベース部に取り付けても、スイッチＳＷは操作されず、音声出力回路ＢＧへ電源は供給されない。
この様にして、ベース部Ｂａ’の突起部Ｐｉの有無により、ガス漏れ検知時に音声による異常警報の出力の有無を選択することができるので、ベース部Ｂａ’を必要に応じて選択すれば、ガス漏れ検知器と住宅情報盤の双方が、同時に音声警報を発するのを防止することができる。
【００３５】
なお、第一の実施形態又は第二の実施形態において、音声警報をオフ制御する場合には、音声警報に替えて、ガス漏れ検知器から警報音が出力される構成とすることもできる。また、音声警報及び警報音の両方を出力するガス漏れ検知器にあっては、音声警報をオフ制御した場合に、警報音のみが出力される構成とすることもできる。
【００３６】
【発明の効果】
請求項１に記載した本発明による防災検知器は、移報受信機との接続の有無を検出して、自動的に音声警報の出力制御をする。即ち、システム構成に応じて異常検知時の動作を異ならせることができる。
また、移報出力端子間のインピーダンスを検出し、所定値よりも低い場合には移報受信機との接続有りと判断して、音声出力回路をオフ制御するため、簡単な構成により、異常検知時に防災受信機と移報受信機とが同時に音声メッセージを発して、聞き取り難くなるのを防止することができる。
【００３７】
請求項２に記載した本発明によるガス漏れ検知器は、ガス漏れ検知時にガス漏れセンサと移報受信機とが同時に音声によるガス漏れ警報を発して、聞き取り難くなるのを防止することができる。
請求項３に記載した本発明によるガス漏れ監視システムは、ガス漏れ検知時に同一の住戸内でガス漏れ検知器と住宅情報盤とが同時に音声によるガス漏れ警報を発して、聞き取り難くなるのを防止することができる。
【００３８】
請求項４に記載した本発明による防災検知器は、ベース部の種別を識別して、自動的に音声警報の出力制御をする。即ち、ベース部の種別により異常検知時の動作を異ならせることができる。
請求項５に記載した本発明による防災検知器は、ベース部が移報受信機への接続用又は非接続用の種別を有し、ヘッド部がこの種別を自動的に判別して、移報受信機への接続用である場合に、音声出力回路をオフ制御する。このため、異常検知時に防災受信機と移報受信機とが同時に音声メッセージを発して、聞き取り難くなるのを防止することができる。
【００３９】
請求項６に記載した本発明による防災検知器は、種別に応じてベース部に設けられた突起部が、ヘッド部のスイッチ手段を操作することにより、接続用又は非接続用の種別を判別する。従って、簡単な構成により、異常検知時に防災受信機と移報受信機とが同時に音声メッセージを発して、聞き取り難くなるのを防止することができる。
【００４０】
請求項７に記載した本発明によるガス漏れ検知器は、ガス漏れ検知時にガス漏れセンサと移報受信機とが同時に音声によるガス漏れ警報を発して、聞き取り難くなるのを防止することができる。
請求項８に記載した本発明によるガス漏れ監視システムは、ガス漏れ検知時に同一の住戸内でガス漏れ検知器と住宅情報盤とが同時に音声によるガス漏れ警報を発して、聞き取り難くなるのを防止することができる。
【図面の簡単な説明】
【図１】本発明の要部の一構成例を示した図である。
【図２】図１に示したガス漏れ検知器の外観形状の一例を示した図である。
【図３】本発明の要部の他の一構成例を示した図である。
【図４】図３に示したガス漏れ検知器の外観形状の一例を示した図である。
【図５】ベース部にヘッド部を取り付ける際の様子を示した図である。
【符号の説明】
１ａ、１ｂ・・・防災検知器、ガス漏れ検知器
Ｓｅ、Ｄｅ、Ｃ・・・異常検知センサ、ガス漏れ検知センサ
ＢＧ・・・音声出力回路
ＳＧ・・・移報出力回路
ＣＤ・・・接続判別手段
Ｒｙｃ、Ｒｙｓ・・・音声出力制御回路
ＴＭｏ・・・移報出力端子
ＴＭｐ・・・電源供給端子
Ｈｄ、Ｈｄ’・・・ヘッド部
Ｂａ、Ｂａ’・・・ベース部
ＳＷ・・・ベース判別手段
Ｐｉ・・・突起部
【図１】
0003593790.tif 000002
【図２】
0003593790.tif 000003
【図３】
0003593790.tif 000004
【図４】
0003593790.tif 000005
【図５】
0003593790.tif 000006